(57)【要約】【課題】被管理者又は被管理者の保護者が登園時又は降園時に操作する操作端末を利用して、実際の誕生日又は実際の誕生日に近い日に、誕生日を迎えた被管理者をお祝する機会を実現できる保育所・認定こども園・幼稚園用の登降管理装置を提供すること。【解決手段】保育所・認定こども園・幼稚園用の登降管理装置１は、被管理者の保育所・認定こども園・幼稚園への登降を管理する装置であり、被管理者毎に登録されている被管理者の誕生日情報に基づいて、誕生日が近づいた被管理者のために、その被管理者の誕生日前にメッセージを登録するように管理者に促す管理端末３と、被管理者又は被管理者の保護者が登園時又は降園時に操作する操作端末２とを備え、誕生日の被管理者又は被管理者の保護者が登園時に操作端末２を操作すると、操作端末２の画面に、管理者が登録したメッセージが表示される。【選択図】  図１
0003215649.tif 000002
【実用新案登録請求の範囲】
【請求項１】
被管理者の保育所・認定こども園・幼稚園への登降を管理する保育所・認定こども園・幼稚園用の登降管理装置であって、
被管理者毎に登録されている被管理者の誕生日情報に基づいて、誕生日が近づいた被管理者のために、その被管理者の誕生日前にメッセージを登録するように管理者に促す管理端末と、
被管理者又は被管理者の保護者が登園時又は降園時に操作する操作端末とを備え、
誕生日の被管理者又は被管理者の保護者が登園時に操作端末を操作すると、操作端末の画面に、管理者が登録したメッセージが表示されるようになっていることを特徴とする保育所・認定こども園・幼稚園用の登降管理装置。
【請求項２】
操作端末は、被管理者を選択する被管理者選択画面と、管理者が事前に登録したメッセージが表示されるメッセージ表示画面と、登園したこと又は降園したことを操作できる登降園処理画面とを有し、
誕生日である被管理者が被管理者選択画面で選択されると、メッセージ表示画面が表示された後に登降園処理画面が表示されるようになっており、
誕生日ではない被管理者が被管理者選択画面で選択されると、登降園処理画面が表示されることを特徴とする請求項１に記載の保育所・認定こども園・幼稚園用の登降管理装置。
【請求項３】
操作端末は、被管理者カード入力待機画面と、管理者が入力したメッセージが表示されるメッセージ表示画面と、登園したこと又は降園したことを操作できる登降園処理画面とを有し、
誕生日の被管理者の被管理者カードによって入力が行われると、メッセージ表示画面が表示された後に登降園処理画面が表示されるようになっており、
誕生日ではない被管理者の被管理者カードによって入力が行われると、登降園処理画面が表示されることを特徴とする請求項１に記載の保育所・認定こども園・幼稚園用の登降管理装置。
【請求項４】
誕生日が休所日、休園日又は非登園日に該当する場合は、誕生日に最も近い開所日、開園日又は登園日を誕生日とみなすことを特徴とする請求項１から３のいずれかに記載の保育所・認定こども園・幼稚園用の登降管理装置。
【考案の詳細な説明】
【技術分野】
【０００１】
本考案は、保育所・認定こども園・幼稚園用の登降管理装置に関する。
【背景技術】
【０００２】
就学前児童の誕生日を祝うことは、その就学前児童が生まれて来てよかったと感じる機会となり、自己肯定感が高まることとなる。
【０００３】
保育所、認定こども園、幼稚園などの就学前児童が通う施設において、その施設に通う就学前児童の誕生日を祝う機会が存在する。
【０００４】
特に、施設で誕生日を祝われた就学前児童は、自分の存在が受け入れられていると安心を感じる。就学前児童は、安心を感じる環境では、主体的・意欲的に様々な活動に取り組むことができる。
【０００５】
保育所、認定こども園、幼稚園などの施設に通う就学前児童の誕生日を祝う機会として誕生会がある。この誕生会は、園行事の一つである。園行事である誕生会については、非特許文献１で説明されている。誕生会は、開催される月に誕生日を迎える就学前児童全員をお祝いする場合が多い。
【先行技術文献】
【非特許文献】
【０００６】
【非特許文献１】阿部恵著、「まるごと園行事シリーズ２  お誕生会」、第1版、チャイルド本社、2008年11月
【考案の概要】
【考案が解決しようとする課題】
【０００７】
誕生会開催日と実際の誕生日が異なる場合がある。そのため、誕生会以外にも実際の誕生日又は実際の誕生日に近い日に、誕生日を迎えた就学前児童をお祝する機会を設けたいが、実際には困難であるという問題がある。
【０００８】
また、悲しい現実ではあるが、例えば再婚家庭では、家庭内で特定の子供の誕生日を祝うことが難しい場合もあるという問題がある。
【０００９】
さらに、親が忙しすぎるあまり、誕生日を祝う機会をつくれない場合もあるという問題がある。
【００１０】
以前には近所の人が誕生日を祝ってくれる等の機会があったが、地域社会の変化によって、ご近所付き合いが希薄になったことにより、そのような誕生日を祝ってもらえる機会が減っているという問題がある。
【００１１】
上記点より、本考案は、被管理者又は被管理者の保護者が登園時又は降園時に操作する操作端末を利用して、実際の誕生日又は実際の誕生日に近い日に、誕生日を迎えた被管理者をお祝する機会を実現できる保育所・認定こども園・幼稚園用の登降管理装置を提供することを目的とする。
【課題を解決するための手段】
【００１２】
上記課題を解決するため請求項１の保育所・認定こども園・幼稚園用の登降管理装置は、被管理者の保育所・認定こども園・幼稚園への登降を管理する保育所・認定こども園・幼稚園用の登降管理装置であって、被管理者毎に登録されている被管理者の誕生日情報に基づいて、誕生日が近づいた被管理者のために、その被管理者の誕生日前にメッセージを登録するように管理者に促す管理端末と、被管理者又は被管理者の保護者が登園時又は降園時に操作する操作端末とを備え、誕生日の被管理者又は被管理者の保護者が登園時に操作端末を操作すると、操作端末の画面に、管理者が登録したメッセージが表示されるようになっている。
【００１３】
請求項１の保育所・認定こども園・幼稚園用の登降管理装置によれば、誕生日が近づいた被管理者のために、その被管理者の誕生日前にメッセージを登録するように管理者に促す。そのため、管理者が被管理者の誕生日を失念することなく誕生日を迎えた被管理者をお祝する機会のための準備を行うことができる。
【００１４】
また、請求項１の保育所・認定こども園・幼稚園用の登降管理装置によれば、誕生日の被管理者又は被管理者の保護者が登園時に操作端末を操作すると、操作端末の画面に、管理者が登録したメッセージが表示される。登園時の操作端末の操作は必ず行うことであり、誕生日の被管理者を祝う機会をもれなく実現することができる。
【００１５】
請求項２の保育所・認定こども園・幼稚園用の登降管理装置は、請求項１の保育所・認定こども園・幼稚園用の登降管理装置において、操作端末は、被管理者を選択する被管理者選択画面と、管理者が事前に登録したメッセージが表示されるメッセージ表示画面と、登園したこと又は降園したことを操作できる登降園処理画面とを有し、誕生日である被管理者が被管理者選択画面で選択されると、メッセージ表示画面が表示された後に登降園処理画面が表示されるようになっており、誕生日ではない被管理者が被管理者選択画面で選択されると、登降園処理画面が表示される。
【００１６】
請求項３の保育所・認定こども園・幼稚園用の登降管理装置は、請求項１の保育所・認定こども園・幼稚園用の登降管理装置において、操作端末は、被管理者カード入力待機画面と、管理者が入力したメッセージが表示されるメッセージ表示画面と、登園したこと又は降園したことを操作できる登降園処理画面とを有し、誕生日の被管理者の被管理者カードによって入力が行われると、メッセージ表示画面が表示された後に登降園処理画面が表示されるようになっており、誕生日ではない被管理者の被管理者カードによって入力が行われると、登降園処理画面が表示される。
【００１７】
請求項２及び３の保育所・認定こども園・幼稚園用の登降管理装置によれば、請求項１の作用に加えて、誕生日である被管理者が操作端末を通常通りの手順で操作した場合にのみ、メッセージ表示画面に遷移するようになっている。
【００１８】
請求項４の保育所・認定こども園・幼稚園用の登降管理装置は、請求項１から３のいずれかの保育所・認定こども園・幼稚園用の登降管理装置において、誕生日が休所日、休園日、又は非登園日に該当する場合は、誕生日に最も近い開所日、開園日、又は登園日を誕生日とみなすようになっている。
【００１９】
請求項４の保育所・認定こども園・幼稚園用の登降管理装置によれば、請求項１から３のいずれかの作用に加えて、休所日、休園日、又は非登園日に誕生日を迎える被管理者についても、できるだけ誕生日に近い日に被管理者を祝う機会をもれなく実現することができる。
【考案の効果】
【００２０】
請求項１から４のいずれかの考案によれば、家庭の事情に関わらず、保育所・認定こども園・幼稚園において平等に誕生日を迎えた被管理者をお祝いする機会を実現できる。これにより、被管理者である就学前児童の自己肯定感を高めることができる。誕生日を迎えた被管理者の保護者にとっても、あらためて被管理者の成長を喜ぶ機会となり、被管理者である子供の大切さを再認識することができる。
【図面の簡単な説明】
【００２１】
【図１】本考案に係る一実施形態の保育所・認定こども園・幼稚園用の登降管理装置の概略を示すブロック図である。
【図２】メッセージを登録するように管理者に促す処理のフローチャートである。
【図３】被管理者等がタッチパネルで操作端末を操作する場合の処理を示すフローチャートである。
【図４】被管理者等が被管理者カードで操作端末を操作した場合の処理を示すフローチャートである。
【図５】休所日、休園日又は非登園日に誕生日を迎える場合の処理を示すフローチャートである。
【考案を実施するための形態】
【００２２】
以下、本考案の一実施形態の保育所・認定こども園・幼稚園用の登降管理装置１について説明する。
【００２３】
以下の説明において被管理者とは、保育所・認定こども園・幼稚園に在籍する就学前児童であり、管理者とは、保育所・認定こども園・幼稚園の職員である。
【００２４】
保育所・認定こども園・幼稚園用の登降管理装置１は、操作端末２と、管理端末３と、記憶部４を有する。操作端末２、管理端末３及び記憶部４はネットワークで接続されており、相互に情報のやりとりが可能となっている。ネットワークは有線であってもよいし、無線であってもよい。
【００２５】
操作端末２は、例えば、タブレットＰＣ、ＰＣ、スマートフォンなどのタッチパネルの画面を有する情報機器である。操作端末２は、さらにカードリーダを有していてもよい。
【００２６】
操作端末２は、例えば、保育所・認定こども園・幼稚園の玄関付近に設置されている。操作端末２は、被管理者又は被管理者の保護者が登園時又は降園時に操作する。
【００２７】
誕生日の被管理者又は被管理者の保護者が登園時に操作端末２を操作すると、操作端末２の画面に、管理者が登録したメッセージが表示されるようになっている。
【００２８】
管理端末３は、例えば、タブレットＰＣやＰＣなどの情報機器である。管理端末３は、基本的には事務室や職員室等に置かれている。
【００２９】
管理端末３は、被管理者毎に登録された誕生日情報に基づいて、誕生日が近づいた被管理者のために、その被管理者の誕生日前にメッセージを登録するように管理者に促す表示がされるようになっている。
【００３０】
記憶部４は、誕生日データベース（誕生日ＤＢ）４１、メッセージデータベース（メッセージＤＢ）４２と、表示日データベース（表示日ＤＢ）４３と、休所日等データベース（休所日等ＤＢ）４４とを有する。記憶部４は前述の管理端末３の内部に設けられていてもよい。
【００３１】
誕生日データベース４１は、被管理者毎に被管理者の誕生日情報が登録されている。
【００３２】
メッセージデータベース４２は、被管理者毎に被管理者の誕生日を祝う管理者のメッセージが登録することができるようになっている。
【００３３】
表示日データベース４３は、被管理者毎にメッセージを表示する日の情報が登録されている。
【００３４】
休所日等データベース４４は、保育所・認定こども園・幼稚園の休所日、休園日又は非登園日の情報が登録されている。
【００３５】
メッセージを登録するように管理者に促す処理について、図２を参照して説明する。
【００３６】
例えば、管理端末３は、起動した際に、メッセージを登録するように管理者に促す処理を自動的に開始する。
【００３７】
Ｓ１１において、本日の日付を取得する。
【００３８】
次に、Ｓ１２において、Ｓ１１で取得した本日の日付から所定の日数以内に表示日を迎える被管理者を表示日データベース４３から抽出する。
【００３９】
次に、Ｓ１３において、Ｓ１２で抽出した被管理者の中でメッセージが登録されていない管理者をメッセージデータベース４２から抽出する。
【００４０】
次に、Ｓ１４において、Ｓ１３で抽出した被管理者兵のメッセージを登録するように管理者に通知する。通知の方法は、例えば、管理端末３の画面にポップアップで表示することや、管理者のメールアドレスに通知メールを送信するなど、様々な方法がある。
【００４１】
以上で、メッセージを登録するように管理者に促す処理が終了する。
【００４２】
被管理者等がタッチパネルで操作端末を操作する場合の処理について、図３を参照して説明する。
【００４３】
操作端末２は、起動させた際に、被管理者等がタッチパネルで操作端末を操作する場合の処理を自動的に開始する。
【００４４】
Ｓ２１において、操作端末２の画面にクラス選択画面を表示する。
【００４５】
次に、Ｓ２２において、被管理者又は被管理者の保護者が、当該被管理者が所属するクラスをクラス選択画面でタッチする。
【００４６】
次に、Ｓ２３において、操作端末２の画面にＳ２２で選択されたクラスの被管理者選択画面を表示する。つまり、操作端末２の画面はクラス選択画面から被管理者選択画面へと遷移することとなる。
【００４７】
次に、Ｓ２４において、被管理者又は被管理者の保護者が、当該被管理者の氏名又はアイコンを操作端末２の画面に表示された被管理者選択画面でタッチする。
【００４８】
次に、Ｓ２５において、Ｓ２４で選択された被管理者の表示日の情報を表示日データベース４３から取得する。
【００４９】
次に、Ｓ２６において、Ｓ２４で選択された被管理者について、本日が表示日かどうか判定する。本日がＳ２４で選択された被管理者の表示日ならば、Ｓ２７に進む。本日がＳ２４で選択された被管理者の表示日でないならば、Ｓ２８に進む。
【００５０】
次に、Ｓ２６で本日が被管理者の表示日と判定された場合、Ｓ２７において、管理者が事前にメッセージを登録したメッセージデータベース４２から当該被管理者のためのメッセージを取得し、そのメッセージが表示されたメッセージ表示画面を操作端末２の画面に表示する。つまり、操作端末２の画面は、被管理者選択画面からメッセージ表示画面へと遷移することとなる。
【００５１】
次に、Ｓ２８において、操作端末２の画面に登降園処理画面を表示する。つまり、Ｓ２６で本日が被管理者の表示日と判定された場合、操作端末２の画面は、メッセージ表示画面から登降園処理画面へと遷移することとなる。
【００５２】
メッセージ表示画面から登降園処理画面への遷移するタイミングについては、例えば、一定時間経過後に登降園処理画面へ遷移してもよいし、メッセージ表示画面に登降園処理画面へ遷移するためのボタンを表示しておいてもよい。
【００５３】
また、Ｓ２６で本日が被管理者の表示日ではないと判定された場合、操作端末２の画面は、被管理者選択画面から登降園処理画面へと遷移することとなる。
【００５４】
最後に、Ｓ２９において、被管理者又は被管理者の保護者が、操作端末２の画面に表示された登降園処理画面で登降園処理操作を行う。登降園処理画面は登園ボタン、登園（お迎え変更等）ボタン、降園ボタンが表示されている。被管理者又は被管理者の保護者が、目的のボタンをタッチすることによって登降園処理操作をすることができる。
【００５５】
以上で、被管理者等がタッチパネルで操作端末を操作する場合の処理が終了する。
【００５６】
被管理者等が被管理者カードで操作端末を操作した場合の処理について、図４を参照して説明する。
【００５７】
操作端末２は、起動させた際に、被管理者等がタッチパネルで操作端末を操作する場合の処理を自動的に開始する。
【００５８】
Ｓ３１において、操作端末２の画面に被管理者カード入力待機画面を表示する。
【００５９】
次に、Ｓ３２において、被管理者又は被管理者の保護者が、被管理者カードをカードリーダに読み取らせることによって、被管理者カードによる入力を行う。
【００６０】
次に、Ｓ３３において、Ｓ３２で入力された被管理者の表示日の情報を表示日データベース４３から取得する。
【００６１】
次に、Ｓ３４において、Ｓ３２で入力された被管理者について、本日が表示日かどうか判定する。本日がＳ３２で選択された被管理者の表示日ならば、Ｓ３５に進む。本日がＳ３２で選択された被管理者の表示日でないならば、Ｓ３６に進む。
【００６２】
次に、Ｓ３４で本日がＳ３２で入力された被管理者の表示日と判定された場合、Ｓ３５において、管理者が事前にメッセージを登録したメッセージデータベース４２から当該被管理者のためのメッセージを取得し、そのメッセージが表示されたメッセージ表示画面を操作端末２の画面に表示する。つまり、操作端末２の画面は、被管理者カード入力待機画面からメッセージ表示画面へと遷移することとなる。
【００６３】
次に、Ｓ３６において、操作端末２の画面に登降園処理画面を表示する。つまり、Ｓ３４で本日がＳ３２で入力された被管理者の表示日と判定された場合、操作端末２の画面は、メッセージ表示画面から登降園処理画面へと遷移することとなる。また、Ｓ３４で本日がＳ３２で入力された被管理者の表示日ではないと判定された場合、操作端末２の画面は、被管理者選択画面から登降園処理画面へと遷移することとなる。
【００６４】
最後に、Ｓ３６において、被管理者又は被管理者の保護者が、操作端末２の画面に表示された登降園処理画面で登降園処理操作を行う。登降園処理画面は、登園ボタン、お迎え変更用の登園ボタン、降園ボタンが表示されている。被管理者又は被管理者の保護者が、目的のボタンをタッチすることによって登降園処理操作をすることができる。
【００６５】
以上で、被管理者等が被管理者カードで操作端末を操作した場合の処理が終了する。
【００６６】
休所日、休園日又は非登園日に誕生日を迎える場合の処理について、図５を参照して説明する。この休所日、休園日又は非登園日に誕生日を迎える場合の処理は、保育所・認定こども園・幼稚園の休所日、休園日又は非登園日が確定後であって、被管理者の誕生日が誕生日データベース４１に登録された後に開始する。
【００６７】
Ｓ４１において、被管理者の誕生日を誕生日データベース４１から取得する。
【００６８】
Ｓ４２において、保育所・認定こども園・幼稚園の休所日、休園日又は非登園日を休所日等データベース４４から取得する。
【００６９】
次に、Ｓ４３において、Ｓ４１で取得された被管理者の誕生日が、休所日、休園日又は非登園日かどうか判定する。被管理者の誕生日が休所日、休園日又は非登園日ならば、Ｓ４４に進む。被管理者の誕生日が休所日、休園日又は非登園日でないならば、休所日、休園日又は非登園日に誕生日を迎える場合の処理を終了する。
【００７０】
次に、Ｓ４３で被管理者の誕生日が、休所日、休園日又は非登園日と判定された場合、Ｓ４４において、被管理者の誕生日に最も近い開所日、開園日又は登園日を表示日とみなす。Ｓ４４において表示とみなされた日を表示日データベース４３に登録する。
【００７１】
以上で、休所日、休園日又は非登園日に誕生日を迎える場合の処理が終了する。
この処理により、例えば、ある被管理者の誕生日が休所日、休園日又は非登園日となっていた場合、誕生日の前日にメッセージが表示されたメッセージ表示画面を操作端末２の画面に表示することができる。もちろん、表示日は、誕生日の前日に限定されず、保育所・認定こども園・幼稚園の事情に合わせて、任意の日を表示日として登録することができる。
【００７２】
上記実施形態では、被管理者等がタッチパネルで操作端末を操作する場合の処理と、被管理者等が被管理者カードで操作端末を操作した場合の処理とを別々に説明したが、これに限定されることはない。被管理者等がタッチパネルで操作端末を操作する場合の処理と、被管理者等が被管理者カードで操作端末を操作した場合の処理の両方が可能な操作端末であってもよい。
【００７３】
上記実施形態では、メッセージが表示されたメッセージ表示画面を操作端末２の画面に表示する場合について説明したが、これに限定されることはない。操作端末２は、メッセージ表示画面を表示中に、音楽、音声メッセージ等を再生してもよい。
【符号の説明】
【００７４】
１    保育所・認定こども園・幼稚園用の登降管理装置
２    操作端末
３    管理端末
４    記憶部
４１  誕生日データベース
４２  メッセージデータベース
４３  表示日データベース
４４  休所日等データベース
【図１】
0003215649.tif 000003
【図２】
0003215649.tif 000004
【図３】
0003215649.tif 000005
【図４】
0003215649.tif 000006
【図５】
0003215649.tif 000007